(57)【要約】ビーム障害回復の構成方法、装置及び通信システムを提供する。該方法は、ネットワーク装置により送信されたビーム障害回復のための構成を受信するステップであって、該構成は、少なくとも、ビーム障害回復を要求するためのリソース情報及び／又はプリアンブル情報を含む、ステップと、ビーム障害回復を要求するための構成から少なくとも一部の時間周波数リソース及び／又はプリアンブルを削除するステップと、を含む。これによって、端末装置は、専用構成のリソース及び／又はプリアンブルを自律的に削除又は解放することで、専用構成におけるリソース及び／又はプリアンブルの有効性を制御することができ、より少ないシグナリングオーバーヘッドで専用構成におけるリソース及び／又はプリアンブルをより効果的に利用することができる。【選択図】図３
2021510029.tif 000002
【特許請求の範囲】
【請求項１】
ビーム障害回復の構成装置であって、
ネットワーク装置により送信されたビーム障害回復のための構成を受信する受信部であって、前記構成は、少なくとも、ビーム障害回復をトリガするためのリソース情報及び／又はプリアンブル情報を含む、受信部と、
ビーム障害回復をトリガするためのリソースから少なくとも一部の時間リソース及び／又は周波数リソースを削除し、且つ／或いは、ビーム障害回復をトリガするためのプリアンブルから少なくとも一部のプリアンブルを削除する管理部と、を含む、装置。
【請求項２】
１つ又は複数の候補ビームに対応する構成を用いて、前記ネットワーク装置にビーム障害回復要求を送信する要求部、をさらに含む、請求項１に記載の装置。
【請求項３】
前記管理部は、
ビーム障害回復が成功して完了した場合、利用可能なリソースから、サービングビームとなる１つ又は複数の候補ビームに対応する時間リソース及び／又は周波数リソースを削除し、且つ／或いは、
ビーム障害回復が成功して完了した場合、利用可能なプリアンブルから、サービングビームとなる１つ又は複数の候補ビームに対応するプリアンブルを削除する、請求項２に記載の装置。
【請求項４】
前記管理部は、
ビーム障害回復が成功していない場合、利用可能なリソースから、前記構成のビーム障害回復をトリガするための時間リソース及び／又は周波数リソースを解放し、且つ／或いは、
ビーム障害回復が成功していない場合、利用可能なプリアンブルから、前記構成のビーム障害回復をトリガするためのプリアンブルを消去する、請求項２に記載の装置。
【請求項５】
測定結果に基づいて１つ又は複数の候補ビームを決定する決定部、をさらに含む、請求項１に記載の装置。
【請求項６】
前記管理部は、
１つ又は複数のビームがもはや候補ビームではないと決定された場合、利用可能なリソースから、前記１つ又は複数のビームに対応する時間リソース及び／又は周波数リソースを削除し、且つ／或いは、
１つ又は複数のビームがもはや候補ビームではないと決定された場合、利用可能なプリアンブルから、前記１つ又は複数のビームに対応するプリアンブルを削除する、請求項５に記載の装置。
【請求項７】
前記端末装置のために１つ又は複数のタイマを設定する設定部、をさらに含み、
前記１つ又は複数のタイマは、前記タイマの構成情報が前記端末装置により受信された時に起動される、請求項１に記載の装置。
【請求項８】
前記管理部は、
前記１つ又は複数のタイマがタイムアウトした場合、利用可能なリソースから、前記１つ又は複数のタイマに対応する時間リソース及び／又は周波数リソースを削除し、且つ／或いは、
前記１つ又は複数のタイマがタイムアウトした場合、利用可能なプリアンブルから、前記１つ又は複数のタイマに対応するプリアンブルを削除する、請求項７に記載の装置。
【請求項９】
前記端末装置のために１つのタイマを構成し、或いは、
時間リソース及び／又は周波数リソース及び／又はプリアンブルの１つのセットのために１つのタイマを構成し、或いは、
時間リソース及び／又は周波数リソース及び／又はプリアンブルの一群のセットのために１つのタイマを構成する、請求項７に記載の装置。
【請求項１０】
前記受信部は、前記ネットワーク装置により送信された、前記１つ又は複数のタイマを再起動又は停止するための指示情報を受信する、請求項７に記載の装置。
【請求項１１】
前記指示情報は、媒体アクセス制御（ＭＡＣ）制御要素（ＣＥ）及び／又は物理ダウンリンク制御チャネル（ＰＤＣＣＨ）で搬送される、請求項１０に記載の装置。
【請求項１２】
リソース及び／又はプリアンブルが削除されたことを示す情報を前記ネットワーク装置に送信する送信部、をさらに含む、請求項１に記載の装置。
【請求項１３】
ビーム障害回復の構成装置であって、
ネットワーク装置に指示情報を送信する送信部と、
前記ネットワーク装置により送信されたビーム障害回復のための構成を受信する受信部と、を含む、装置。
【請求項１４】
前記指示情報は、前記ネットワーク装置により前記ビーム障害回復のための構成を決定するために用いられ、
前記構成は、少なくとも、ビーム障害回復をトリガするためのリソース情報及び／又はプリアンブル情報を含む、請求項１３に記載の装置。
【請求項１５】
前記指示情報は、前記端末装置の使用済みの能力の情報、前記端末装置の残りの能力の情報、前記端末装置のプリファレンス情報、前記端末装置のレベル情報、前記端末装置の優先度情報、前記端末装置により決定されたビーム障害が発生するか否かを示す情報、及び前記端末装置の移動状態情報の少なくとも１つを含む、請求項１３に記載の装置。
【請求項１６】
前記端末装置の使用済みの能力の情報は、前記端末装置の現在の使用済みの測定能力を含み、
前記端末装置の残りの能力の情報は、最大許容の測定能力及び現在の使用済みの測定能力に基づいて得られた前記端末装置の現在の使用可能な測定能力を含む、請求項１５に記載の装置。
【請求項１７】
所定の条件又は構成された条件に基づいて、ビーム障害が発生するか否かを決定する決定部、をさらに含み、
前記所定の条件又は構成された条件は、期間内の複数のサービングビームの測定結果が何れも所定の測定閾値よりも小さいこと、前記測定閾値よりも大きい測定結果を有するサービングビームの数が所定の数閾値よりも小さいこと、及び複数のサービングビームの連続的な複数の測定結果が何れも前記測定閾値よりも小さいことの少なくとも１つを含む、請求項１５に記載の装置。
【請求項１８】
前記指示情報の送信を禁止するためのタイマを設定する設定部、をさらに含む、請求項１３に記載の装置。
【請求項１９】
前記タイマは、前記送信部が前記ネットワーク装置に前記指示情報を送信する時に起動され、
前記タイマがタイムアウトし、或いは起動されていない場合、前記指示情報の送信は許可される、請求項１８に記載の装置。
【請求項２０】
端末装置を含む通信システムであって、
前記端末装置は、請求項１又は１３に記載のビーム障害回復の構成装置を含む、通信システム。
【発明の詳細な説明】
【技術分野】
【０００１】
本発明の実施例は、通信技術分野に関し、特にビーム障害回復の構成方法、装置及び通信システムに関する。
【背景技術】
【０００２】
第５世代（５Ｇ）通信の新しい無線（ＮＲ：Ｎｅｗ  Ｒａｄｉｏ）システムでは、より高い周波数での通信をサポートするために、ビームの概念が導入されている。それに応じて、ＮＲシステムは、ビームの関連操作、例えばビーム決定、ビーム測定、ビーム報告などを含むビーム管理をサポートする。ビームの概念が導入された場合、システムリソースの割り当ては、元のセルレベルからビームレベルに拡張され、より多くのリソース又はより効果的なリソース割り当ての管理メカニズムが要求される場合がある。
【０００３】
なお、背景技術に関する上記の説明は、単なる本発明の構成をより明確、完全に説明するためのものであり、当業者を理解させるために説明するものである。これらの構成が本発明の背景技術の部分に説明されているから当業者にとって周知の技術であると解釈してはならない。
【発明の概要】
【発明が解決しようとする課題】
【０００４】
しかし、本発明の発明者の発見により、単一のセルには多数（例えば数百）の接続された端末装置が存在する可能性がある。ビーム障害回復をサポートするために、現在、各端末装置のために複数の専用構成（ｄｅｄｉｃａｔｅｄ  ｃｏｎｆｉｇｕｒａｔｉｏｎ）を保留する必要があり、その結果、シグナリングオーバーヘッドが大きくなり、リソースの利用率が低くなる可能性がある。
【０００５】
本発明の実施例は、ビーム障害回復のシグナリングオーバーヘッドを低減させ、ビーム障害回復のためのリソース及び／又はプリアンブルの利用率を向上させることができる、ビーム障害回復の構成方法、装置及び通信システムを提供する。
【課題を解決するための手段】
【０００６】
本発明の実施例の第１態様では、ビーム障害回復の構成方法であって、ネットワーク装置により送信されたビーム障害回復のための構成を受信するステップであって、前記構成は、少なくとも、ビーム障害回復をトリガするためのリソース情報及び／又はプリアンブル情報を含む、ステップと、ビーム障害回復をトリガするためのリソースから少なくとも一部の時間リソース及び／又は周波数リソースを削除し、且つ／或いは、ビーム障害回復をトリガするためのプリアンブルから少なくとも一部のプリアンブルを削除するステップと、を含む、方法を提供する。
【０００７】
本発明の実施例の第２態様では、ビーム障害回復の構成装置であって、ネットワーク装置により送信されたビーム障害回復のための構成を受信する受信部であって、前記構成は、少なくとも、ビーム障害回復をトリガするためのリソース情報及び／又はプリアンブル情報を含む、受信部と、ビーム障害回復をトリガするためのリソースから少なくとも一部の時間リソース及び／又は周波数リソースを削除し、且つ／或いは、ビーム障害回復をトリガするためのプリアンブルから少なくとも一部のプリアンブルを削除する管理部と、を含む、装置を提供する。
【０００８】
本発明の実施例の第３態様では、ビーム障害回復の構成方法であって、ネットワーク装置に指示情報を送信するステップと、前記ネットワーク装置により送信されたビーム障害回復のための構成を受信するステップと、を含む、方法を提供する。
【０００９】
本発明の実施例の第４態様では、ビーム障害回復の構成装置であって、ネットワーク装置に指示情報を送信する送信部と、前記ネットワーク装置により送信されたビーム障害回復のための構成を受信する受信部と、を含む、装置を提供する。
【００１０】
本発明の実施例の第５態様では、端末装置を含む通信システムであって、前記端末装置は、上記の第２態様又は第４態様に記載のビーム障害回復の構成装置を含む、通信システムを提供する。
【００１１】
本発明の実施例の有利な効果は以下の通りである。端末装置がビーム障害回復をトリガするための利用可能なリソース及び／又は利用可能なプリアンブルから少なくとも一部のリソース及び／又はプリアンブルを削除し、或いは、端末装置がネットワーク装置に指示情報を送信し、該ネットワーク装置により送信されたビーム障害回復のための構成を受信することで、各端末装置のために複数の専用構成を保留する必要がなく、ビーム障害回復のシグナリングオーバーヘッドを低減させ、ビーム障害回復のためのリソース及び／又はプリアンブルの利用率を向上させることができる。
【００１２】
下記の説明及び図面に示すように、本発明の特定の実施形態が詳細に開示され、本発明の原理を採用できる方式が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００１３】
１つの実施形態に記載された特徴及び／又は示された特徴は、同一又は類似の方式で１つ又はさらに多くの他の実施形態で用いられてもよいし、他の実施形態における特徴と組み合わせてもよいし、他の実施形態における特徴に代わってもよい。
【００１４】
なお、本文では、用語「含む／有する」は、特徴、部材、ステップ又は構成要件が存在することを意味し、一つ又は複数の他の特徴、部材、ステップ又は構成要件の存在又は付加を排除しない。
【図面の簡単な説明】
【００１５】
本発明の実施例の１つの図面及び１つの実施形態に記載された要素及び特徴は、１つ又はさらに多くの図面又は実施形態に示された要素及び特徴と組み合わせてもよい。また、図面において、類似の符号は複数の図面における対応する素子を示し、１つ以上の実施形態に用いられる対応素子を示してもよい。
【図１】本発明の実施例の通信システムの概略図である。
【図２】本発明の実施例のビーム障害回復プロセスの概略図である。
【図３】本発明の実施例１のビーム障害回復の構成方法の１つの概略図である。
【図４】本発明の実施例１のビーム障害回復の構成方法のもう１つの概略図である。
【図５】本発明の実施例２のビーム障害回復の構成方法の１つの概略図である。
【図６】本発明の実施例２のビーム障害回復の構成方法のもう１つの概略図である。
【図７】本発明の実施例３のビーム障害回復の構成装置の１つの概略図である。
【図８】本発明の実施例３のビーム障害回復の構成装置のもう１つの概略図である。
【図９】本発明の実施例４のビーム障害回復の構成装置の１つの概略図である。
【図１０】本発明の実施例４のビーム障害回復の構成装置のもう１つの概略図である。
【図１１】実施例５のネットワーク装置の概略図である。
【図１２】実施例５の端末装置の概略図である。
【発明を実施するための形態】
【００１６】
本発明の上記及び他の特徴は以下の説明により明らかになる。明細書及び図面において、本発明の特定の実施形態が詳細に開示され、本発明の原理を採用できる実施形態の一部が示される。なお、本発明は説明される実施形態に限定されない。本発明は、添付される特許請求の範囲内の全ての変更されたもの、変形されたもの及び均等的なものを含む。以下は、図面を参照しながら本発明の各実施形態を説明する。これらの実施形態は単なる例示的なものであり、本発明を制限するものではない。
【００１７】
本発明の実施例では、用語「第１」、「第２」などは、タイトルで異なる要素を区別するために用いられるが、これらの要素の空間的配列又は時間的順序などを表すものではなく、これらの要素はこれらの用語に制限されない。用語「及び／又は」は、関連するリストに列挙された用語の１つ又は複数のうち何れか１つ及び全ての組み合わせを含む。用語「含む」、「包括する」、「有する」などは、列挙された特徴、要素、素子又は構成部材の存在を意味するが、１つ又は複数の他の特徴、要素、素子又は構成部材の存在又は追加を排除するものではない。
【００１８】
本発明の実施例では、単数形の「１つ」、「該」などは複数形を含み、「１種類」又は「１類」と広義的に理解されるべきであり、「１個」に限定されない。また、用語「前記」は、文脈がそうでないことを明確に示さない限り、単数形及び複数形両方を含むと理解されるべきである。また、文脈がそうでないことを明確に示さない限り、用語「に記載の」は「少なくとも一部に記載の」と理解されるべきであり、用語「に基づいて」は「少なくとも一部に基づいて」と理解されるべきである。
【００１９】
本発明の実施例では、用語「通信ネットワーク」又は「無線通信ネットワーク」は、例えばロングタームエボリューション（ＬＴＥ：Ｌｏｎｇ  Ｔｅｒｍ  Ｅｖｏｌｕｔｉｏｎ）、進化したロングタームエボリューション（ＬＴＥ−Ａ、ＬＴＥ−Ａｄｖａｎｃｅｄ）、広帯域符号分割多元接続（ＷＣＤＭＡ(登録商標)：Ｗｉｄｅｂａｎｄ  Ｃｏｄｅ  Ｄｉｖｉｓｉｏｎ  Ｍｕｌｔｉｐｌｅ  Ａｃｃｅｓｓ）、高速パケットアクセス（ＨＳＰＡ：Ｈｉｇｈ−Ｓｐｅｅｄ  Ｐａｃｋｅｔ  Ａｃｃｅｓｓ）などの任意の通信規格に適合するネットワークを意味してもよい。
【００２０】
また、通信システムにおける装置間の通信は、任意の段階の通信プロトコルに従って行われてもよく、該通信プロトコルは、例えば１Ｇ（ｇｅｎｅｒａｔｉｏｎ）、２Ｇ、２．５Ｇ、２．７５Ｇ、３Ｇ、４Ｇ、４．５Ｇ、及び将来の５Ｇ、新しい無線（ＮＲ：Ｎｅｗ  Ｒａｄｉｏ）等、及び／又は現在の既知の他の通信プロトコル若しくは将来開発される他の通信プロトコルを含んでもよいが、これらに限定されない。
【００２１】
本発明の実施例では、用語「ネットワーク装置」は、例えば通信システムに端末装置をアクセスさせて該端末装置にサービスを提供する通信システム内の装置を意味する。ネットワーク装置は、基地局（ＢＳ：Ｂａｓｅ  Ｓｔａｔｉｏｎ）、アクセスポイント（ＡＰ：Ａｃｃｅｓｓ  Ｐｏｉｎｔ）、送受信ポイント（ＴＲＰ：Ｔｒａｎｓｍｉｓｓｉｏｎ  Ｒｅｃｅｐｔｉｏｎ  Ｐｏｉｎｔ）、ブロードキャスト送信機、モビリティ管理エンティティ（ＭＭＥ：Ｍｏｂｉｌｅ  Ｍａｎａｇｅｍｅｎｔ  Ｅｎｔｉｔｙ）、ゲートウェイ、サーバ、無線ネットワークコントローラ（ＲＮＣ：Ｒａｄｉｏ  Ｎｅｔｗｏｒｋ  Ｃｏｎｔｒｏｌｌｅｒ）、基地局コントローラ（ＢＳＣ：Ｂａｓｅ  Ｓｔａｔｉｏｎ  Ｃｏｎｔｒｏｌｌｅｒ）などを含んでもよいが、これらに限定されない。
【００２２】
そのうち、基地局は、ノードＢ（ＮｏｄｅＢ又はＮＢ）、進化ノードＢ（ｅＮｏｄｅＢ又はｅＮＢ）、及び５Ｇ基地局（ｇＮＢ）など、並びにリモート無線ヘッド（ＲＲＨ：Ｒｅｍｏｔｅ  Ｒａｄｉｏ  Ｈｅａｄ）、リモート無線ユニット（ＲＲＵ：Ｒｅｍｏｔｅ  Ｒａｄｉｏ  Ｕｎｉｔ）、中継装置（ｒｅｌａｙ）又は低電力ノード（例えばｆｅｍｔｏ、ｐｉｃｏなど）を含んでもよいが、これらに限定されない。また、用語「基地局」はそれらの機能の一部又は全てを含んでもよく、各基地局は特定の地理的エリアに対して通信カバレッジを提供してもよい。用語「セル」は、該用語が使用されるコンテキストに応じて、基地局及び／又はそのカバレッジエリアを意味してもよい。
【００２３】
本発明の実施例では、用語「ユーザ装置」（ＵＥ：Ｕｓｅｒ  Ｅｑｕｉｐｍｅｎｔ）又は用語「端末装置」（ＴＥ：Ｔｅｒｍｉｎａｌ  Ｅｑｕｉｐｍｅｎｔ）は、例えばネットワーク装置を介して通信ネットワークにアクセスし、ネットワークサービスを受ける装置を意味する。端末装置は、固定的なもの又は移動的なものであってもよく、移動局（ＭＳ：Ｍｏｂｉｌｅ  Ｓｔａｔｉｏｎ）、端末、加入者ステーション（ＳＳ：Ｓｕｂｓｃｒｉｂｅｒ  Ｓｔａｔｉｏｎ）、アクセス端末（ＡＴ：Ａｃｃｅｓｓ  Ｔｅｒｍｉｎａｌ）、ステーションなどと称されてもよい。
【００２４】
そのうち、端末装置は、携帯電話（Ｃｅｌｌｕｌａｒ  Ｐｈｏｎｅ）、パーソナルデジタルアシスタント（ＰＤＡ：Ｐｅｒｓｏｎａｌ  Ｄｉｇｉｔａｌ  Ａｓｓｉｓｔａｎｔ）、無線変復調装置、無線通信装置、ハンドヘルドデバイス、マシンタイプ通信装置、ラップトップコンピュータ、コードレス電話、スマートフォン、スマートウォッチ、デジタルカメラなどを含んでもよいが、これらに限定されない。
【００２５】
例えば、モノのインターネット（ＩｏＴ：Ｉｎｔｅｒｎｅｔ  ｏｆ  Ｔｈｉｎｇｓ）などのシナリオでは、端末装置は、監視又は測定を行う機器又は装置であってもよく、例えばマシンタイプ通信（ＭＴＣ：Ｍａｃｈｉｎｅ  Ｔｙｐｅ  Ｃｏｍｍｕｎｉｃａｔｉｏｎ）端末、車載通信端末、デバイスツーデバイス（Ｄ２Ｄ：Ｄｅｖｉｃｅ  ｔｏ  Ｄｅｖｉｃｅ）端末、マシンツーマシン（Ｍ２Ｍ：Ｍａｃｈｉｎｅ  ｔｏ  Ｍａｃｈｉｎｅ）端末などを含んでもよいが、これらに限定されない。
【００２６】
また、用語「ネットワーク側」又は「ネットワーク装置側」とは、ネットワークの側を意味し、基地局であってもよいし、上記の１つ又は複数のネットワーク装置を含んでもよい。用語「ユーザ側」又は「端末装置側」とは、ユーザ又は端末の側を意味し、ＵＥであってもよいし、上記の１つ又は複数の端末装置を含んでもよい。
【００２７】
以下は、一例を参照しながら本発明の実施例のシナリオを説明するが、本発明はこれに限定されない。
【００２８】
図１本発明の実施例の通信システムの概略図であり、端末装置及びネットワーク装置の例を概略的に示している。図１に示すように、通信システム１００は、ネットワーク装置１０１及び端末装置１０２を含んでもよい。説明の便宜上、図１は、１つのみの端末装置及び１つのみのネットワーク装置を一例にして説明するが、本発明の実施例はこれに限定されない。
【００２９】
本発明の実施例では、ネットワーク装置１０１と端末装置１０２との間では、既存のトラフィック又は将来に実装可能なトラフィックを行うことができる。例えば、これらのトラフィックは、拡張モバイルブロードバンド（ｅＭＢＢ：ｅｎｈａｎｃｅｄ  Ｍｏｂｉｌｅ  Ｂｒｏａｄｂａｎｄ）、大規模マシンタイプ通信（ｍＭＴＣ：ｍａｓｓｉｖｅ  Ｍａｃｈｉｎｅ  Ｔｙｐｅ  Ｃｏｍｍｕｎｉｃａｔｉｏｎ）及び高信頼性低遅延通信（ＵＲＬＬＣ：Ｕｌｔｒａ−Ｒｅｌｉａｂｌｅ  ａｎｄ  Ｌｏｗ−Ｌａｔｅｎｃｙ  Ｃｏｍｍｕｎｉｃａｔｉｏｎ）などを含んでもよいが、これらに限定されない。
【００３０】
ＮＲシステムでは、端末装置（ユーザ装置とも称される）の自律的な回復メカニズム、即ちビーム障害回復メカニズムが導入されている。例えば、端末装置が接続状態になった場合、ネットワーク装置は端末装置に専用構成を提供する。端末装置は、ネットワーク装置により送信された専用構成に基づいて、ビーム障害が発生し、且つ候補ビームが存在する場合、該専用構成により指定されたリソース又は競合に基づくリソースを用いて、ビーム障害回復要求を送信してもよく、該専用構成により指定された受信時間ウィンドウ内で、指定されたリソース位置においてネットワーク装置のフィードバックを待つ。該受信時間ウィンドウ内でネットワーク装置のフィードバックが受信された場合、ビーム障害回復プロセスが成功したと判断し、そうでない場合、該ビーム障害回復プロセスが失敗したと判断してもよい。
【００３１】
図２は本発明の実施例のビーム障害回復プロセスの概略図である。図２に示すように、ネットワーク装置（例えばｇＮＢ）は、端末装置に、ビーム障害回復のための専用構成を予め送信してもよい。端末装置は、ビーム障害回復をトリガする際に、ネットワーク装置にビーム障害回復要求を送信し、該要求に対するネットワーク装置の応答を受信する。
【００３２】
ネットワーク装置により端末装置のために提供される専用構成は、例えば以下のものの少なくとも１つを含んでもよい。
【００３３】
ビーム障害を決定するためのパラメータ、例えばＮｒＯｆＢｅａｍＦａｉｌｕｒｅＩｎｓｔａｎｃｅ；
ビームが候補ビームであるか否かを決定するための閾値、例えばＣａｎｄｉｄａｔｅＢｅａｍＴｈｒｅｓｈｏｌｄ；
ビーム障害回復要求を送信するためのランダムアクセスリソース、例えばＰＲＡＣＨ−ｒｅｓｏｕｒｃｅ−ｄｅｄｉｃａｔｅｄ−ＢＦＲ；
ビーム障害回復要求を送信するためのプリアンブルインデックス、例えばｒａ−ＰｒｅａｍｂｌｅＩｎｄｅｘＣｏｎｆｉｇ−ＢＦＲ；
ビーム障害回復要求の送信の制限、例えばＰｒｅａｍｂｌｅＴｒａｎｓＭａｘ−ＢＦＲ；
ネットワーク装置の応答を受信するための構成情報、例えばＲｅｓｐｏｎｓｅＷｉｎｄｏｗＳｉｚｅ−ＢＦＲ及びＢｅａｍ−Ｆａｉｌｕｒｅ−Ｒｅｃｏｖｅｒｙ−Ｒｅｓｐｏｎｓｅ−ＣＯＲＥＳＥＴ。
【００３４】
なお、以上は単にビーム障害回復のための専用構成を例示的に説明し、本発明はこれに限定されず、例えば他のパラメータをさらに含んでもよい。ビーム障害回復のための専用構成の他の内容について、関連技術を参照してもよく、その説明を省略する。
【００３５】
以下は、ＮＲシステムを一例にして本発明の実施例を説明する。しかし、本発明はこれに限定されず、同様な問題を有する任意のシステムに適用されてもよい。
【００３６】
＜実施例１＞
本発明の実施例はビーム障害回復の構成方法を提供する。
【００３７】
図３は、本発明の実施例のビーム障害回復の構成方法の１つの概略図であり、端末装置側の状況を示している。図３に示すように、ビーム障害回復の構成方法３００は以下のステップを含む。
【００３８】
ステップ３０１：端末装置は、ネットワーク装置により送信されたビーム障害回復のための構成を受信する。ここで、該構成は、少なくとも、ビーム障害回復をトリガするためのリソース情報及び／又はプリアンブル情報を含む。
【００３９】
ステップ３０２：端末装置は、ビーム障害回復をトリガするためのリソースから少なくとも一部の時間リソース及び／又は周波数リソースを削除し、且つ／或いは、ビーム障害回復をトリガするためのプリアンブルから少なくとも一部のプリアンブルを削除する。
【００４０】
本実施例では、端末装置は、ネットワーク装置により送信された専用構成を受信し、これらの専用構成から少なくとも一部を自律的に削除（ｒｅｍｏｖｅ）（又は破棄（ｄｉｓｃａｒｄ）、消去（ｃｌｅａｒ）、解放（ｒｅｌｅａｓｅ）、若しくは「使用不可」と見なしてもよい）してもよい。
【００４１】
例えば、利用可能なリソースから一部又は全ての時間リソース及び／又は周波数リソース（以下は、時間周波数領域と略称される）を削除又は破棄し、且つ／或いは、利用可能なプリアンブルから一部又は全てのプリアンブルを削除又は破棄する。これによって、各端末装置のために複数の専用構成を保留する必要がなく、ビーム障害回復のシグナリングオーバーヘッドを低減させ、ビーム障害回復のための時間周波数リソース及び／又はプリアンブルの利用率を向上させることができる。
【００４２】
１つの態様では、端末装置は、ビーム障害回復が成功して完了した場合、自律的な削除を行う。
【００４３】
図４は、本発明の実施例１のビーム障害回復の構成方法のもう１つの概略図であり、端末装置側及びネットワーク装置側の状況を示している。図４に示すように、ビーム障害回復の構成方法４００は以下のステップを含む。
【００４４】
ステップ４０１：ネットワーク装置は、端末装置に、ビーム障害回復のための専用構成を送信する。ここで、該専用構成は、少なくとも、ビーム障害回復をトリガするための時間周波数リソース情報及び／又はプリアンブル情報を含む。
【００４５】
ステップ４０２：端末装置にビーム障害が発生し、端末装置は１つ又は複数の候補ビームを選択する。
【００４６】
ステップ４０３：端末装置は、該１つ又は複数の候補ビームに対応する専用構成を用いて、該ネットワーク装置にビーム障害回復要求を送信する。
【００４７】
ステップ４０４：端末装置は、ビーム障害回復要求に対するネットワーク装置の応答を受信する。
【００４８】
例えば、所定の受信時間ウィンドウ内で、該端末装置がネットワーク装置のフィードバックを成功して受信した場合、該ビーム障害回復プロセスが成功したと判断する。該フィードバックは、例えば、アップリンクグラント又はダウンリンク割り当てを搬送している物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）であるが、本発明はこれに限定されない。
【００４９】
ステップ４０５：端末装置は、ビーム障害回復のための少なくとも一部の専用構成を自律的に削除する。
【００５０】
例えば、利用可能なリソースから、サービングビームとなる１つ又は複数の候補ビームに対応する時間リソース及び／又は周波数リソースを削除又は破棄する。
【００５１】
ステップ４０６：端末装置は、ネットワーク装置に、リソース及び／又はプリアンブルが削除されたことを示す情報を送信する。
【００５２】
なお、以上は図４を参照しながら本発明の実施例を例示的に説明しているが、本発明はこれに限定されない。例えば、各ステップ間の実行順序を適宜調整してもよいし、他のステップを追加したり、ステップを削除したりしてもよい。当業者は、上記の内容に基づいて適宜変形を行ってもよく、上記の図４の記載に限定されない。
【００５３】
これによって、端末装置は、一部又は全ての専用構成を自律的に削除することで、オーバーヘッドを低減させ、リソース利用率を向上させることができる。また、端末装置は、削除情報をネットワーク装置に報告することで、端末装置とネットワーク装置との間で合意を達成し、リソースの利用率をさらに向上させることができる。
【００５４】
もう１つの態様では、ビーム障害回復が成功していない場合、利用可能なリソースから、該専用構成におけるビーム障害回復をトリガするための時間リソース及び／又は周波数リソースを解放し、且つ／或いは、ビーム障害回復が成功していない場合、利用可能なプリアンブルから、該専用構成におけるビーム障害回復をトリガするためのプリアンブルを消去してもよい。
【００５５】
例えば、ステップ４０４において端末装置が所定の受信時間ウィンドウ内でネットワーク装置のフィードバックが受信していない場合、ビーム障害回復プロセスが成功していない（即ち失敗した）と判断する。この場合は、端末装置は、ステップ４０２において選択された１つ又は複数の候補ビームがもはや適切ではないと判断し、該１つ又は複数の候補ビームに対応する時間領域リソース及び／又はプリアンブルを自律的に削除又は破棄してもよい。
【００５６】
もう１つの態様では、端末装置は、測定結果に基づいて１つ又は複数の候補ビームを決定してもよい。１つ又は複数のビームがもはや候補ビームではないと決定された場合、利用可能なリソースから、該１つ又は複数のビームに対応する時間リソース及び／又は周波数リソースを削除し、且つ／或いは、１つ又は複数のビームがもはや候補ビームではないと決定された場合、利用可能なプリアンブルから、該１つ又は複数のビームに対応するプリアンブルを削除する。
【００５７】
もう１つの態様では、端末装置は、タイマを用いて自律的な削除を行ってもよい。例えば、端末装置のために１つ又は複数のタイマを設定してもよい。ここで、該１つ又は複数のタイマは、該タイマの構成情報が該端末装置により受信された時に起動される。
【００５８】
例えば、１つ又は複数のタイマがタイムアウトした場合、利用可能なリソースから、該１つ又は複数のタイマに対応する時間リソース及び／又は周波数リソースを削除し、且つ／或いは、該１つ又は複数のタイマがタイムアウトした場合、利用可能なプリアンブルから、該１つ又は複数のタイマに対応するプリアンブルを削除する。
【００５９】
例えば、該端末装置のために１つのタイマを構成してもよく、即ち該タイマは、端末装置全体に適用されてもよい。或いは、時間リソース及び／又は周波数リソース及び／又はプリアンブルの１つのセットのために１つのタイマを構成してもよく、即ち、該タイマは、リソース及び／又はプリアンブルの１つのセットに適用されてもよい。或いは、時間リソース及び／又は周波数リソース及び／又はプリアンブルの一群のセットのために１つのタイマを構成してもよく、即ち、該タイマは、リソース及び／又はプリアンブルの一群（複数）のセットに適用されてもよい。
【００６０】
この態様では、端末装置は、ネットワーク装置により送信された、該１つ又は複数のタイマを再起動又は停止するための指示情報を受信してもよい。該指示情報は、媒体アクセス制御（ＭＡＣ）制御要素（ＣＥ）及び／又は物理ダウンリンク制御チャネル（ＰＤＣＣＨ）で搬送されてもよいが、本発明はこれに限定されない。
【００６１】
以上の態様では、本発明の自律的な削除の条件を例示的に説明しているが、本発明はこれに限定されない。また、説明の便宜上、一部のステップを省略しているが、同様に図４を参照し、例えば端末装置のネットワーク装置への報告のステップを追加してもよい。
【００６２】
なお、以上の各態様は単独で実行されてもよいし、任意の２つ以上の態様を組み合わせて実行してもよく、以下は２つの例を例示的に説明する。
【００６３】
例えば、ネットワーク装置は、端末装置のためにビーム障害回復の専用構成を提供している。該端末装置のビーム障害回復が成功して完了した後に、元の候補ビーム１が現在のサービングビームとなった場合、該端末装置は、専用構成からビーム１に対応する時間周波数リソース及び／又はプリアンブルを自律的に削除してもよい。また、元の候補ビーム２の無線品質が低下し、もはや候補ビームではなくなった場合、端末装置は、専用構成からビーム２に対応する時間周波数リソース及び／又はプリアンブルを自律的に削除してもよい。
【００６４】
また、例えば、ネットワーク装置は、端末装置のためにビーム障害回復の専用構成を提供し、構成１、構成２及び構成３のために有効なタイマＴ１、Ｔ２及びＴ３をそれぞれ設定している。該端末装置が専用構成を受信した場合、対応する構成のために有効なタイマＴ１、Ｔ２及びＴ３を起動してもよい。さらに、ネットワーク装置は、例えばＴ１及びＴ２のみを再起動し、Ｔ３を再起動しないように、ＭＡＣ  ＣＥを送信してタイマを指示してもよい。即ち、ネットワーク装置は、構成３に対応する候補ビームが不要になると判断する。このように、Ｔ１及びＴ２が再起動され、Ｔ３がタイムアウトした場合、端末装置は、構成３を自律的に削除してもよい。また、ビーム障害回復が成功した後に、元の候補ビーム１が現在のサービングビームとなった場合、該端末装置は、専用構成からビーム１に対応する時間周波数リソース及び／又はプリアンブルを自律的に削除してもよい。
【００６５】
本実施例によれば、端末装置は、専用構成のリソース及び／又はプリアンブルを自律的に削除又は解放することができる。これによって、専用構成におけるリソース及び／又はプリアンブルの有効性を制御することができ、より少ないシグナリングオーバーヘッドで専用構成におけるリソース及び／又はプリアンブルをより効果的に利用することができる。
【００６６】
＜実施例２＞
本発明の実施例はビーム障害回復の構成方法を提供する。
【００６７】
図５は本発明の実施例のビーム障害回復の構成方法の概略図であり、端末装置側の状況を示している。図５に示すように、ビーム障害回復の構成方法５００は以下のステップを含む。
【００６８】
ステップ５０１：端末装置はネットワーク装置に指示情報を送信する。
【００６９】
ステップ５０２：端末装置は、該ネットワーク装置により送信されたビーム障害回復のための構成を受信する。
【００７０】
本実施例では、該指示情報は、該ネットワーク装置により該ビーム障害回復のための構成を決定するために用いられる。該構成は、少なくとも、ビーム障害回復をトリガするためのリソース情報及び／又はプリアンブル情報を含む。なお、本発明はこれに限定されない。
【００７１】
図６は本発明の実施例２のビーム障害回復の構成方法のもう１つの概略図であり、端末装置側及びネットワーク装置側の状況を示している。図６に示すように、ビーム障害回復の構成方法６００は以下のステップを含む。
【００７２】
ステップ６０１：端末装置はネットワーク装置に指示情報を送信する。
【００７３】
ステップ６０２：ネットワーク装置は、端末装置により送信された指示情報に基づいて、ビーム障害回復のための専用構成を決定する。
【００７４】
ステップ６０３：端末装置は、該ネットワーク装置により送信された該専用構成を受信する。
【００７５】
なお、以上は図６を参照しながら本発明の実施例を例示的に説明しているが、本発明はこれに限定されない。例えば、各ステップ間の実行順序を適宜調整してもよいし、他のステップを追加したり、ステップを削除したりしてもよい。当業者は、上記の内容に基づいて適宜変形を行ってもよく、上記の図６の記載に限定されない。
【００７６】
これによって、ネットワーク装置は、端末装置により提供された情報に基づいて、端末装置に専用構成を提供するか否か、及びどの専用構成を提供するかを決定することができるため、リソース及び／又はプリアンブルをより効果的に利用することができる。
【００７７】
本実施例では、該指示情報は、該端末装置の使用済みの能力の情報、該端末装置の残りの能力の情報、該端末装置のプリファレンス情報、該端末装置のレベル情報、該端末装置の優先度情報、該端末装置により決定されたビーム障害が発生するか否かを示す情報、及び該端末装置の移動状態情報の少なくとも１つを含んでもよい。
【００７８】
例えば、該端末装置の使用済みの能力の情報は、該端末装置の現在の使用済みの測定能力を含み、該端末装置の残りの能力の情報は、最大許容の測定能力及び現在の使用済みの測定能力に基づいて得られた該端末装置の現在の使用可能な測定能力を含む。
【００７９】
また、例えば、端末装置は、所定の条件又は構成された条件に基づいて、ビーム障害が発生するか否かを決定してもよい。ここで、該所定の条件又は構成された条件は、期間内の複数のサービングビームの測定結果が何れも所定の測定閾値よりも小さいこと、該測定閾値よりも大きい測定結果を有するサービングビームの数が所定の数閾値よりも小さいこと、及び複数のサービングビームの連続的な複数の測定結果が何れも該測定閾値よりも小さいことの少なくとも１つを含む。
【００８０】
本実施例では、端末装置は、該指示情報の送信を禁止するためのタイマを設定してもよい。ここで、該タイマは、端末装置が該ネットワーク装置に該指示情報を送信する時に起動され、該タイマがタイムアウトし、或いは起動されていない場合、該指示情報の送信は許可される。
【００８１】
以下は、３つの例を参照しながら本発明の実施例を例示的に説明するが、本発明はこれに限定されない。
【００８２】
例えば、ＵＥが接続状態になった場合、ＵＥ能力転送プロセス（ＵＥ  ｃａｐａｂｉｌｉｔｙ  ｔｒａｎｓｆｅｒ  ｐｒｏｃｅｄｕｒｅ）によりネットワーク装置にＵＥ情報を送信してもよい。ネットワーク装置により送信されたＵＥ能力取得メッセージを受信した場合、該ＵＥはＵＥ能力情報のメッセージを構築して送信し、該メッセージは、ＵＥ使用済みの能力、残りの能力又はＵＥレベルを含んでもよい。例えば、該ＵＥ能力情報は、現在の測定構成変数のうちの使用済み、保守されている測定対象、測定ＩＤ若しくは報告構成の数、又はこれらのパラメータの残りの数を含む。該ＵＥ能力情報に基づいて、ネットワーク装置は、該ＵＥのために構成された候補ビームの数を決定することができる。
【００８３】
また、例えば、ＵＥが接続状態になった場合、無線リソース制御（ＲＲＣ：Ｒａｄｉｏ  Ｒｅｓｏｕｒｃｅ  Ｃｏｎｔｒｏｌ）メッセージを介してネットワーク装置にＵＥ情報を送信してもよい。例えば、ＵＥプリファレンス（ｐｒｅｆｅｒｅｎｃｅ）又は優先度情報を伝えるために、マルチメディア・ブロードキャスト・マルチキャスト・サービス（ＭＢＭＳ：Ｍｕｌｔｉｍｅｄｉａ  Ｂｒｏａｄｃａｓｔ  Ｍｕｌｔｉｃａｓｔ  Ｓｅｒｖｉｃｅ）の関心指示メッセージと類似する新しいメッセージを導入してもよい。該メッセージは、ビーム障害回復を実行するか否かについてのＵＥのプリファレンス情報、ビーム障害回復を実行するためのＵＥのプリファレンスについてのビーム情報などを含んでもよい。また、例えば、ＵＥにビーム障害が発生する可能性がある旨の指示情報を伝えるために、デバイス内共存（ｉｎ−ｄｅｖｉｃｅ  ｃｏｅｘｉｓｔｅｎｃｅ）指示メッセージと類似する新しいメッセージを導入してもよい。該メッセージは、測定結果が閾値よりも低いサービングビームの情報などを含んでもよい。
【００８４】
また、例えば、プロトコルでは、５０％のサービングビームのチャネル状態情報参照信号（ＣＳＩ−ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）の測定結果が閾値ＴＨよりも小さい場合、ＵＥにビーム障害が発生する可能性があると判断することが規定されてもよい。例えば、ＵＥに現在４つのサービングビームがあり、２つのサービングビームのＣＳＩ−ＲＳ測定結果が閾値ＴＨよりも小さい場合、ＵＥはネットワーク装置に報告を送信し、該報告は、ＵＥにビーム障害が発生する可能性がある旨の指示、ＵＥの現在の測定層の数、高優先度指示を含んでもよい。該ＵＥの報告に基づいて、ネットワーク装置は、該ＵＥのためにビーム障害回復の専用構成を提供してもよい。該報告に低優先度指示が含まれる場合、ネットワーク装置は、該ＵＥに専用構成を提供しなくてもよい。
【００８５】
本実施例によれば、端末装置がネットワーク装置に指示情報を送信し、ネットワーク装置が端末装置により提供された情報に基づいて、端末装置に専用構成を提供するか否か、及びどの専用構成を提供するかを決定することができるため、リソース及び／又はプリアンブルをより効果的に利用することができる。
【００８６】
＜実施例３＞
本発明の実施例は、ビーム障害回復の構成装置を提供する。該装置は、例えば端末装置であってもよいし、端末装置に構成された部材又は構成部であってもよい。本実施例３の実施例１と同様な内容について、その説明を省略する。
【００８７】
図７は本発明の実施例のビーム障害回復の構成装置の１つの概略図である。図７に示すように、ビーム障害回復の構成装置７００は、受信部７０１及び管理部７０２を含む。
【００８８】
受信部７０１は、ネットワーク装置により送信されたビーム障害回復のための構成を受信する。ここで、該構成は、少なくとも、ビーム障害回復をトリガするためのリソース情報及び／又はプリアンブル情報を含む。
【００８９】
管理部７０２は、ビーム障害回復をトリガするためのリソースから少なくとも一部の時間リソース及び／又は周波数リソースを削除（又は廃棄など）し、且つ／或いは、ビーム障害回復をトリガするためのプリアンブルから少なくとも一部のプリアンブルを削除（又は廃棄など）する。
【００９０】
１つの態様では、図７に示すように、ビーム障害回復の構成装置７００は、要求部７０３をさらに含んでもよい。
【００９１】
要求部７０３は、１つ又は複数の候補ビームに対応する構成を用いて、該ネットワーク装置にビーム障害回復要求を送信する。
【００９２】
管理部７０２は、ビーム障害回復が成功して完了した場合、利用可能なリソースから、サービングビームとなる１つ又は複数の候補ビームに対応する時間リソース及び／又は周波数リソースを削除（又は廃棄など）し、且つ／或いは、ビーム障害回復が成功して完了した場合、利用可能なプリアンブルから、サービングビームとなる１つ又は複数の候補ビームに対応するプリアンブルを削除（又は廃棄など）してもよい。
【００９３】
もう１つの態様では、管理部７０２は、ビーム障害回復が成功していない場合、利用可能なリソースから、該構成のビーム障害回復をトリガするための時間リソース及び／又は周波数リソースを解放し、且つ／或いは、ビーム障害回復が成功していない場合、利用可能なプリアンブルから、該構成のビーム障害回復をトリガするためのプリアンブルを消去してもよい。
【００９４】
１つの態様では、図７に示すように、ビーム障害回復の構成装置７００は、決定部７０４をさらに含んでもよい。
【００９５】
決定部７０４は、測定結果に基づいて１つ又は複数の候補ビームを決定する。
【００９６】
管理部７０２は、１つ又は複数のビームがもはや候補ビームではないと決定された場合、利用可能なリソースから、該１つ又は複数のビームに対応する時間リソース及び／又は周波数リソースを削除し、且つ／或いは、１つ又は複数のビームがもはや候補ビームではないと決定された場合、利用可能なプリアンブルから、該１つ又は複数のビームに対応するプリアンブルを削除してもよい。
【００９７】
１つの態様では、図７に示すように、ビーム障害回復の構成装置７００は、設定部７０５をさらに含んでもよい。
【００９８】
設定部７０５は、該端末装置のために１つ又は複数のタイマを設定する。ここで、該１つ又は複数のタイマは、該タイマの構成情報が前記端末装置により受信された時に起動される。
【００９９】
管理部７０２は、該１つ又は複数のタイマがタイムアウトした場合、利用可能なリソースから、該１つ又は複数のタイマに対応する時間リソース及び／又は周波数リソースを削除し、且つ／或いは、該１つ又は複数のタイマがタイムアウトした場合、利用可能なプリアンブルから、該１つ又は複数のタイマに対応するプリアンブルを削除してもよい。
【０１００】
例えば、端末装置のために１つのタイマを構成し、或いは、時間リソース及び／又は周波数リソース及び／又はプリアンブルの１つのセットのために１つのタイマを構成し、或いは、時間リソース及び／又は周波数リソース及び／又はプリアンブルの一群のセットのために１つのタイマを構成してもよい。
【０１０１】
１つの態様では、受信部７０１は、該ネットワーク装置により送信された、該１つ又は複数のタイマを再起動又は停止するための指示情報を受信してもよい。ここで、該指示情報は、媒体アクセス制御（ＭＡＣ）制御要素（ＣＥ）及び／又は物理ダウンリンク制御チャネル（ＰＤＣＣＨ）で搬送されてもよい。端末装置は、該指示情報に基づいて、該タイマを再起動し、或いは該タイマを停止してもよい。
【０１０２】
１つの態様では、図７に示すように、ビーム障害回復の構成装置７００は、送信部７０６をさらに含んでもよい。
【０１０３】
送信部７０６は、リソース及び／又はプリアンブルが削除されたことを示す情報を前記ネットワーク装置に送信する。
【０１０４】
本発明の実施例は、ビーム障害回復の構成装置をさらに提供する。該装置は、例えばネットワーク装置であってもよいし、ネットワーク装置に構成された部材又は構成部であってもよい。
【０１０５】
図８は本発明の実施例のビーム障害回復の構成装置の概略図である。図８に示すように、ビーム障害回復の構成装置８００は、送信部８０１を含む。
【０１０６】
送信部８０１は、端末装置に、ビーム障害回復のための構成を送信する。ここで、該構成は、少なくとも、ビーム障害回復をトリガするためのリソース情報及び／又はプリアンブル情報を含む。
【０１０７】
図８に示すように、ビーム障害回復の構成装置８００は、受信部８０２をさらに含んでもよい。
【０１０８】
受信部８０２は、端末装置により１つ又は複数の候補ビームに対応する構成を用いて送信されたビーム障害回復要求を受信する。
【０１０９】
１つの態様では、送信部８０１は、端末装置に、１つ又は複数のタイマを再起動又は停止するための指示情報を送信する。
【０１１０】
１つの態様では、受信部８０２は、端末装置により送信された、リソース及び／又はプリアンブルが削除されたことを示す情報を受信する。
【０１１１】
なお、以上は本発明に関連する各部材又はモジュールを説明しているが、本発明はこれに限定されない。ビーム障害回復の構成装置７００又は８００は他の部材又はモジュールをさらに含んでもよく、これらの部材又はモジュールの具体的な内容について、関連技術を参照してもよい。
【０１１２】
また、説明の便宜上、図７又は図８は各部材又はモジュール間の接続関係又は信号方向のみを例示的に示し、当業者がバスの接続など各種の関連技術を採用してもよい。上記の各部材又はモジュールは、例えばプロセッサ、メモリ、送信機、受信機などのハードウェア設備により実現されてもよく、本発明の実施例はこれに限定されない。
【０１１３】
本実施例によれば、端末装置は、専用構成のリソース及び／又はプリアンブルを自律的に削除又は解放することができる。これによって、専用構成におけるリソース及び／又はプリアンブルの有効性を制御することができ、より少ないシグナリングオーバーヘッドで専用構成におけるリソース及び／又はプリアンブルをより効果的に利用することができる。
【０１１４】
＜実施例４＞
本発明の実施例は、ビーム障害回復の構成装置を提供する。該装置は、例えば端末装置であってもよいし、端末装置に構成された部材又は構成部であってもよい。本実施例４の実施例２と同様な内容について、その説明を省略する。
【０１１５】
図９は本発明の実施例のビーム障害回復の構成装置の概略図である。図９に示すように、ビーム障害回復の構成装置９００は、送信部９０１及び受信部９０２を含む。
【０１１６】
送信部９０１は、ネットワーク装置に指示情報を送信する。
【０１１７】
受信部９０２は、該ネットワーク装置により送信されたビーム障害回復のための構成を受信する。
【０１１８】
本実施例では、該指示情報は、該ネットワーク装置により前記ビーム障害回復のための構成を決定するために用いられ、該構成は、少なくとも、ビーム障害回復をトリガするためのリソース情報及び／又はプリアンブル情報を含む。なお、本発明はこれに限定されない。
【０１１９】
本実施例では、該指示情報は、該端末装置の使用済みの能力の情報、該端末装置の残りの能力の情報、該端末装置のプリファレンス情報、該端末装置のレベル情報、該端末装置の優先度情報、該端末装置により決定されたビーム障害が発生するか否かを示す情報、及び該端末装置の移動状態情報の少なくとも１つを含む。
【０１２０】
例えば、該端末装置の使用済みの能力の情報は、該端末装置の現在の使用済みの測定能力を含み、該端末装置の残りの能力の情報は、最大許容の測定能力及び現在の使用済みの測定能力に基づいて得られた前記端末装置の現在の使用可能な測定能力を含む。
【０１２１】
１つの態様では、図９に示すように、ビーム障害回復の構成装置９００は、決定部９０３をさらに含んでもよい。
【０１２２】
決定部９０３は、所定の条件又は構成された条件に基づいて、ビーム障害が発生するか否かを決定する。
【０１２３】
ここで、該所定の条件又は構成された条件は、期間内の複数のサービングビームの測定結果が何れも所定の測定閾値よりも小さいこと、該測定閾値よりも大きい測定結果を有するサービングビームの数が所定の数閾値よりも小さいこと、及び複数のサービングビームの連続的な複数の測定結果が何れも該測定閾値よりも小さいことの少なくとも１つを含む。
【０１２４】
１つの態様では、図９に示すように、ビーム障害回復の構成装置９００は、設定部９０４をさらに含んでもよい。
【０１２５】
設定部９０４は、該指示情報の送信を禁止するためのタイマを設定する。
【０１２６】
ここで、該タイマは、送信部９０１が該ネットワーク装置に前記指示情報を送信する時に起動され、該タイマがタイムアウトし、或いは起動されていない場合、該指示情報の送信は許可される。
【０１２７】
本発明の実施例は、ビーム障害回復の構成装置をさらに提供する。該装置は、例えばネットワーク装置であってもよいし、ネットワーク装置に構成された部材又は構成部であってもよい。
【０１２８】
図１０は本発明の実施例のビーム障害回復の構成装置の概略図である。図１０に示すように、ビーム障害回復の構成装置１０００は、受信部１００１、決定部１００２及び送信部１００３を含む。
【０１２９】
受信部１００１は、端末装置により送信された指示情報を受信する。
【０１３０】
決定部１００２は、該指示情報に基づいて、ビーム障害回復のための構成を決定する。
【０１３１】
送信部１００３は、端末装置に、該ビーム障害回復のための構成を送信する。
【０１３２】
例えば、決定部１００２は、該端末装置により送信された指示情報に基づいて、該端末装置にビーム障害回復のための専用構成を割り当ててもよい。例えば、優先度の高い端末装置により多いリソースを割り当て、優先度の低い端末装置により少ないリソースを割り当ててもよい。
【０１３３】
なお、以上は本発明に関連する各部材又はモジュールを説明しているが、本発明はこれに限定されない。ビーム障害回復の構成装置９００又は１０００は他の部材又はモジュールをさらに含んでもよく、これらの部材又はモジュールの具体的な内容について、関連技術を参照してもよい。
【０１３４】
また、説明の便宜上、図９又は図１０は各部材又はモジュール間の接続関係又は信号方向のみを例示的に示し、当業者がバスの接続など各種の関連技術を採用してもよい。上記の各部材又はモジュールは、例えばプロセッサ、メモリ、送信機、受信機などのハードウェア設備により実現されてもよく、本発明の実施例はこれに限定されない。
【０１３５】
本実施例によれば、端末装置がネットワーク装置に指示情報を送信し、ネットワーク装置が端末装置により提供された情報に基づいて、端末装置に専用構成を提供するか否か、及びどの専用構成を提供するかを決定することができるため、リソース及び／又はプリアンブルをより効果的に利用することができる。
【０１３６】
＜実施例５＞
本発明の実施例は通信システムをさらに提供し、図１を参照してもよく、実施例１乃至４と同様な内容についてその説明を省略する。本実施例では、通信システム１００は、ネットワーク装置１０１及び端末装置１０２を含んでもよい。
【０１３７】
ネットワーク装置１０１には、１つ又は複数の端末装置のためにサービスを提供し、実施例３に記載のビーム障害回復の構成装置８００又は実施例４に記載のビーム障害回復の構成装置１０００が構成されている。
【０１３８】
端末装置１０２には、実施例３に記載のビーム障害回復の構成装置７００又は実施例４に記載のビーム障害回復の構成装置９００が構成されている。
【０１３９】
本発明の実施例はネットワーク装置をさらに提供する。該ネットワーク装置は基地局であってもよいが、本発明はこれに限定されず、他のネットワーク装置であってもよい。
【０１４０】
図１１は本発明の実施例のネットワーク装置の構成の概略図である。図１１に示すように、ネットワーク装置１１００は、プロセッサ１１１０（例えば中央処理装置（ＣＰＵ））１３０１及びメモリ１１２０を含んでもよく、メモリ１１２０はプロセッサ１１１０に接続される。メモリ１１２０は、各種のデータを記憶してもよいし、情報処理のプログラム１１３０をさらに記憶し、プロセッサ１１１０の制御で該プログラム１１３０を実行する。
【０１４１】
例えば、プロセッサ１１１０は、プログラム１１３０を実行し、実施例１に記載されたビーム障害回復の構成方法を実現してもよい。例えば、プロセッサ１１１０は、端末装置にビーム障害回復のための構成を送信するように構成されてもよい。ここで、該構成は、少なくとも、ビーム障害回復をトリガするためのリソース情報及び／又はプリアンブル情報を含む。
【０１４２】
１つの態様では、プロセッサ１１１０は、端末装置により１つ又は複数の候補ビームに対応する構成を用いて送信されたビーム障害回復要求を受信するように構成されてもよい。
【０１４３】
１つの態様では、プロセッサ１１１０は、端末装置に、１つ又は複数のタイマを再起動又は停止するための指示情報を送信するように構成されてもよい。
【０１４４】
１つの実施例では、プロセッサ１１１０は、端末装置により送信された、リソース及び／又はプリアンブルが削除されたことを示す情報を受信するように構成されてもよい。
【０１４５】
また、例えば、プロセッサ１１１０は、プログラム１１３０を実行し、実施例２に記載されたビーム障害回復の構成方法を実現してもよい。例えば、プロセッサ１１１０は、端末装置により送信された指示情報を受信し、該指示情報に基づいてビーム障害回復のための構成を決定し、該端末装置に該構成を送信するように構成されてもよい。
【０１４６】
また、図１１に示すように、ネットワーク装置１１００は、送受信機１１４０及びアンテナ１１５０などをさらに含んでもよい。上記部材の機能は従来技術と類似し、ここでその説明を省略する。なお、ネットワーク装置１１００は図１１に示す全てのユニットを含む必要がない。また、ネットワーク装置１１００は、図１１に示されていないユニットをさらに含んでもよく、従来技術を参照してもよい。
【０１４７】
本発明の実施例は端末装置をさらに提供する。なお、本発明はこれに限定されず、他の装置であってもよい。
【０１４８】
図１２は本発明の実施例の端末装置の概略図である。図１２に示すように、該端末装置１２００は、プロセッサ１２１０及びメモリ１２２０を含んでもよく、メモリ１２２０はプロセッサ１２１０に接続される。なお、該図は単なる例示的なものであり、電気通信機能又は他の機能を実現するように、他の種類の構成を用いて、該構成を補充又は代替してもよい。
【０１４９】
例えば、プロセッサ１２１０は、プログラムを実行して実施例１に記載されたビーム障害回復の構成方法を実現するように構成されてもよい。例えば、プロセッサ１２１０は、ネットワーク装置により送信されたビーム障害回復のための構成を受信するステップであって、該構成は、少なくとも、ビーム障害回復をトリガするためのリソース情報及び／又はプリアンブル情報を含む、ステップと、ビーム障害回復をトリガするためのリソースから少なくとも一部の時間リソース及び／又は周波数リソースを削除（又は破棄など）し、且つ／或いは、ビーム障害回復をトリガするためのプリアンブルから少なくとも一部のプリアンブルを削除（又は破棄など）するステップと、を実行するように構成されてもよい。
【０１５０】
１つの態様では、プロセッサ１２１０は、１つ又は複数の候補ビームに対応する構成を用いて、該ネットワーク装置にビーム障害回復要求を送信するように構成されてもよい。
【０１５１】
１つの態様では、プロセッサ１２１０は、ビーム障害回復が成功して完了した場合、利用可能なリソースから、サービングビームとなる１つ又は複数の候補ビームに対応する時間リソース及び／又は周波数リソースを削除（又は破棄など）し、且つ／或いは、ビーム障害回復が成功して完了した場合、利用可能なプリアンブルから、サービングビームとなる１つ又は複数の候補ビームに対応するプリアンブルを削除（又は破棄など）するように構成されてもよい。
【０１５２】
１つの態様では、プロセッサ１２１０は、ビーム障害回復が成功していない場合、利用可能なリソースから、該構成のビーム障害回復をトリガするための時間リソース及び／又は周波数リソースを解放し、且つ／或いは、ビーム障害回復が成功していない場合、利用可能なプリアンブルから、該構成のビーム障害回復をトリガするためのプリアンブルを消去するように構成されてもよい。
【０１５３】
１つの態様では、プロセッサ１２１０は、測定結果に基づいて１つ又は複数の候補ビームを決定するように構成されてもよい。
【０１５４】
１つの態様では、プロセッサ１２１０は、１つ又は複数のビームがもはや候補ビームではないと決定された場合、利用可能なリソースから、該１つ又は複数のビームに対応する時間リソース及び／又は周波数リソースを削除し、且つ／或いは、１つ又は複数のビームがもはや候補ビームではないと決定された場合、利用可能なプリアンブルから、該１つ又は複数のビームに対応するプリアンブルを削除するように構成されてもよい。
【０１５５】
１つの態様では、プロセッサ１２１０は、該端末装置のために１つ又は複数のタイマを設定するように構成されてもよい。ここで、該１つ又は複数のタイマは、該タイマの構成情報が該端末装置により受信された時に起動される。
【０１５６】
１つの態様では、プロセッサ１２１０は、該１つ又は複数のタイマがタイムアウトした場合、利用可能なリソースから、該１つ又は複数のタイマに対応する時間リソース及び／又は周波数リソースを削除し、且つ／或いは、該１つ又は複数のタイマがタイムアウトした場合、利用可能なプリアンブルから、該１つ又は複数のタイマに対応するプリアンブルを削除するように構成されてもよい。
【０１５７】
１つの態様では、該端末装置のために１つのタイマを構成し、或いは、時間リソース及び／又は周波数リソース及び／又はプリアンブルの１つのセットのために１つのタイマを構成し、或いは、時間リソース及び／又は周波数リソース及び／又はプリアンブルの一群のセットのために１つのタイマを構成してもよい。
【０１５８】
１つの態様では、プロセッサ１２１０は、該ネットワーク装置により送信された、該１つ又は複数のタイマを再起動又は停止するための指示情報を受信するように構成されてもよい。
【０１５９】
１つの態様では、該指示情報は、媒体アクセス制御（ＭＡＣ）制御要素（ＣＥ）及び／又は物理ダウンリンク制御チャネル（ＰＤＣＣＨ）で搬送される。
【０１６０】
１つの態様では、プロセッサ１２１０は、リソース及び／又はプリアンブルが削除されたことを示す情報を前記ネットワーク装置に送信するように構成されてもよい。
【０１６１】
また、例えば、プロセッサ１２１０は、プログラムを実行して実施例２に記載されたビーム障害回復の構成方法を実現するように構成されてもよい。例えば、プロセッサ１２１０は、ネットワーク装置に指示情報を送信し、該ネットワーク装置により送信されたビーム障害回復のための構成を受信するように構成されてもよい。
【０１６２】
１つの態様では、該指示情報は、該ネットワーク装置により該ビーム障害回復のための構成を決定するために用いられ、該構成は、少なくとも、ビーム障害回復をトリガするためのリソース情報及び／又はプリアンブル情報を含む。
【０１６３】
１つの態様では、該指示情報は、該端末装置の使用済みの能力の情報、該端末装置の残りの能力の情報、該端末装置のプリファレンス情報、該端末装置のレベル情報、該端末装置の優先度情報、該端末装置により決定されたビーム障害が発生するか否かを示す情報、及び該端末装置の移動状態情報の少なくとも１つを含む。
【０１６４】
１つの態様では、該端末装置の使用済みの能力の情報は、該端末装置の現在の使用済みの測定能力を含み、該端末装置の残りの能力の情報は、最大許容の測定能力及び現在の使用済みの測定能力に基づいて得られた該端末装置の現在の使用可能な測定能力を含む。
【０１６５】
１つの態様では、プロセッサ１２１０は、所定の条件又は構成された条件に基づいて、ビーム障害が発生するか否かを決定するように構成されてもよい。ここで、該所定の条件又は構成された条件は、期間内の複数のサービングビームの測定結果が何れも所定の測定閾値よりも小さいこと、該測定閾値よりも大きい測定結果を有するサービングビームの数が所定の数閾値よりも小さいこと、及び複数のサービングビームの連続的な複数の測定結果が何れも該測定閾値よりも小さいことの少なくとも１つを含む。
【０１６６】
１つの態様では、プロセッサ１２１０は、該指示情報の送信を禁止するためのタイマを設定するように構成されてもよい。ここで、該タイマは、該端末装置が該ネットワーク装置に該指示情報を送信する時に起動され、該タイマがタイムアウトし、或いは起動されていない場合、該指示情報の送信は許可される。
【０１６７】
図１２に示すように、該端末装置１２００は、通信モジュール１２３０、入力部１２４０、ディスプレイ１２５０、電源１２６０をさらに含んでもよい。ここで、上記部材の機能は従来技術と同様であり、ここでその説明を省略する。なお、端末装置１２００は図１２に示す全てのユニットを含む必要がない。また、端末装置１２００は、図１２に示されていないユニットをさらに含んでもよく、従来技術を参照してもよい。
【０１６８】
本発明の実施例では、コンピュータ読み取り可能なプログラムであって、ネットワーク装置において該プログラムを実行する際に、コンピュータに該ネットワーク装置において上記の実施例１又は２に記載のビーム障害回復の構成方法を実行させる、プログラムをさらに提供する。
【０１６９】
本発明の実施例では、コンピュータ読み取り可能なプログラムが記憶されている記憶媒体であって、該プログラムを実行する際に、コンピュータにネットワーク装置において実施例１又は２に記載のビーム障害回復の構成方法を実行させる、記憶媒体をさらに提供する。
【０１７０】
本発明の実施例では、コンピュータ読み取り可能なプログラムであって、端末装置において該プログラムを実行する際に、コンピュータに該端末装置において実施例１又は２に記載のビーム障害回復の構成方法を実行させる、プログラムをさらに提供する。
【０１７１】
本発明の実施例では、コンピュータ読み取り可能なプログラムが記憶されている記憶媒体であって、該プログラムを実行する際に、コンピュータに端末装置において実施例１又は２に記載のビーム障害回復の構成方法を実行させる、記憶媒体をさらに提供する。
【０１７２】
本発明の以上の装置及び方法は、ハードウェアにより実現されてもよく、ハードウェアとソフトウェアを結合して実現されてもよい。本発明はコンピュータが読み取り可能なプログラムに関し、該プログラムはロジック部により実行される際に、該ロジック部に上述した装置又は構成要件を実現させる、或いは該ロジック部に上述した各種の方法又はステップを実現させることができる。本発明は上記のプログラムを記憶するための記憶媒体、例えばハードディスク、磁気ディスク、光ディスク、ＤＶＤ、フラッシュメモリ等に関する。
【０１７３】
本発明の実施例を参照しながら説明した各装置における各処理方法は、ハードウェア、プロセッサにより実行されるソフトウェアモジュール、又は両者の組み合わせで実施されてもよい。例えば、図面に示す機能的ブロック図における１つ若しくは複数、又は機能的ブロック図の１つ若しくは複数の組み合わせは、コンピュータプログラムフローの各ソフトウェアモジュールに対応してもよいし、各ハードウェアモジュールに対応してもよい。これらのソフトウェアモジュールは、図面に示す各ステップにそれぞれ対応してもよい。これらのハードウェアモジュールは、例えばフィールド・プログラマブル・ゲートアレイ（ＦＰＧＡ）を用いてこれらのソフトウェアモジュールをハードウェア化して実現されてもよい。
【０１７４】
ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、モバイルハードディスク、ＣＤ−ＲＯＭ又は当業者にとって既知の任意の他の形の記憶媒体に位置してもよい。プロセッサが記憶媒体から情報を読み取ったり、記憶媒体に情報を書き込むように該記憶媒体をプロセッサに接続してもよいし、記憶媒体がプロセッサの構成部であってもよい。プロセッサ及び記憶媒体はＡＳＩＣに位置してもよい。該ソフトウェアモジュールは移動端末のメモリに記憶されてもよいし、移動端末に挿入されたメモリカードに記憶されてもよい。例えば、機器（例えば移動端末）が比較的に大きい容量のＭＥＧＡ−ＳＩＭカード又は大容量のフラッシュメモリ装置を用いる場合、該ソフトウェアモジュールは該ＭＥＧＡ−ＳＩＭカード又は大容量のフラッシュメモリ装置に記憶されてもよい。
【０１７５】
図面に記載されている機能的ブロック図における一つ以上の機能ブロックおよび／または機能ブロックの一つ以上の組合せは、本願に記載されている機能を実行するための汎用プロセッサ、デジタル信号プロセッサ（ＤＳＰ）、特定用途向け集積回路（ＡＳＩＣ）、フィールド・プログラマブル・ゲートアレイ（ＦＰＧＡ）又は他のプログラマブル論理デバイス、ディスクリートゲートまたはトランジスタ論理装置、ディスクリートハードウェアコンポーネント、またはそれらの任意の適切な組み合わせで実現されてもよい。図面に記載されている機能的ブロック図における一つ以上の機能ブロックおよび／または機能ブロックの一つ以上の組合せは、例えば、コンピューティング機器の組み合わせ、例えばＤＳＰとマイクロプロセッサの組み合わせ、複数のマイクロプロセッサの組み合わせ、ＤＳＰ通信と組み合わせた１つ又は複数のマイクロプロセッサ又は他の任意の構成で実現されてもよい。
【０１７６】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び変更を行ってもよく、これらの変形及び変更も本発明の範囲内のものである。
【図１】
2021510029.tif 000003
【図２】
2021510029.tif 000004
【図３】
2021510029.tif 000005
【図４】
2021510029.tif 000006
【図５】
2021510029.tif 000007
【図６】
2021510029.tif 000008
【図７】
2021510029.tif 000009
【図８】
2021510029.tif 000010
【図９】
2021510029.tif 000011
【図１０】
2021510029.tif 000012
【図１１】
2021510029.tif 000013
【図１２】
2021510029.tif 000014
【手続補正書】
【提出日】令和2年7月6日(2020.7.6)
【手続補正１】
【補正対象書類名】特許請求の範囲
【補正対象項目名】全文
【補正方法】変更
【補正の内容】
【特許請求の範囲】
【請求項１】
ビーム障害回復の構成装置であって、
複数の命令が記憶されているメモリと、
前記メモリに接続されるプロセッサと、を含み、
前記プロセッサは、
ネットワーク装置により送信されたビーム障害回復のための構成を受信するステップであって、前記構成は、少なくとも、ビーム障害回復をトリガするためのリソース情報及び／又はプリアンブル情報を含む、ステップと、
ビーム障害回復をトリガするためのリソースから少なくとも一部の時間リソース及び／又は周波数リソースを解放し、又は使用せず、且つ／或いは、ビーム障害回復をトリガするためのプリアンブルから少なくとも一部のプリアンブルを解放し、又は使用しない、ステップと、を行うように前記命令を実行するように構成される、装置。
【請求項２】
前記プロセッサは、１つ又は複数の候補ビームに対応する構成を用いて、前記ネットワーク装置にビーム障害回復要求を送信するように構成される、請求項１に記載の装置。
【請求項３】
前記プロセッサは、
ビーム障害回復が成功して完了した場合、利用可能なリソースから、サービングビームとなる１つ又は複数の候補ビームに対応する時間リソース及び／又は周波数リソースを解放し、又は使用せず、且つ／或いは、
ビーム障害回復が成功して完了した場合、利用可能なプリアンブルから、サービングビームとなる１つ又は複数の候補ビームに対応するプリアンブルを解放し、又は使用しないように構成される、請求項２に記載の装置。
【請求項４】
前記プロセッサは、
ビーム障害回復が成功していない場合、利用可能なリソースから、前記構成のビーム障害回復をトリガするための時間リソース及び／又は周波数リソースを解放し、又は使用せず、且つ／或いは、
ビーム障害回復が成功していない場合、利用可能なプリアンブルから、前記構成のビーム障害回復をトリガするためのプリアンブルを解放し、又は使用しないように構成される、請求項２に記載の装置。
【請求項５】
前記プロセッサは、測定結果に基づいて１つ又は複数の候補ビームを決定するように構成される、請求項１に記載の装置。
【請求項６】
前記プロセッサは、
１つ又は複数のビームがもはや候補ビームではないと決定された場合、利用可能なリソースから、前記１つ又は複数のビームに対応する時間リソース及び／又は周波数リソースを解放し、又は使用せず、且つ／或いは、
１つ又は複数のビームがもはや候補ビームではないと決定された場合、利用可能なプリアンブルから、前記１つ又は複数のビームに対応するプリアンブルを解放し、又は使用しないように構成される、請求項５に記載の装置。
【請求項７】
前記プロセッサは、前記端末装置のために１つ又は複数のタイマを設定するように構成され、
ビーム障害回復プロセスが開始され、前記端末装置のためにタイマが構成され、且つ前記タイマの構成情報が前記端末装置により受信された場合、前記１つ又は複数のタイマは起動される、請求項１に記載の装置。
【請求項８】
前記プロセッサは、
前記１つ又は複数のタイマがタイムアウトした場合、利用可能なリソースから、前記１つ又は複数のタイマに対応する時間リソース及び／又は周波数リソースを解放し、又は使用せず、且つ／或いは、
前記１つ又は複数のタイマがタイムアウトした場合、利用可能なプリアンブルから、前記１つ又は複数のタイマに対応するプリアンブルを解放し、又は使用しないように構成される、請求項７に記載の装置。
【請求項９】
時間リソース及び／又は周波数リソース及び／又はプリアンブルの１つのセットのために１つのタイマを構成し、或いは、
時間リソース及び／又は周波数リソース及び／又はプリアンブルの一群のセットのために１つのタイマを構成する、請求項７に記載の装置。
【請求項１０】
前記プロセッサは、前記ネットワーク装置により送信された、前記１つ又は複数のタイマを再起動又は停止するための指示情報を受信するように構成される、請求項７に記載の装置。
【請求項１１】
前記指示情報は、媒体アクセス制御（ＭＡＣ）制御要素（ＣＥ）及び／又は物理ダウンリンク制御チャネル（ＰＤＣＣＨ）で搬送される、請求項１０に記載の装置。
【請求項１２】
前記プロセッサは、リソース及び／又はプリアンブルが解放され、又は使用されないことを示す情報を前記ネットワーク装置に送信するように構成される、請求項１に記載の装置。
【請求項１３】
ビーム障害回復の構成装置であって、
複数の命令が記憶されているメモリと、
前記メモリに接続されるプロセッサと、を含み、
前記プロセッサは、
ネットワーク装置に指示情報を送信するステップと、
前記ネットワーク装置により送信されたビーム障害回復のための構成を受信するステップと、を行うように前記命令を実行するように構成される、装置。
【請求項１４】
前記指示情報は、前記ネットワーク装置により前記ビーム障害回復のための構成を決定するために用いられ、
前記構成は、少なくとも、ビーム障害回復をトリガするためのリソース情報及び／又はプリアンブル情報を含む、請求項１３に記載の装置。
【請求項１５】
前記指示情報は、前記端末装置の使用済みの能力の情報、前記端末装置の残りの能力の情報、前記端末装置のプリファレンス情報、前記端末装置のレベル情報、前記端末装置の優先度情報、前記端末装置により決定されたビーム障害が発生するか否かを示す情報、及び前記端末装置の移動状態情報の少なくとも１つを含む、請求項１３に記載の装置。
【請求項１６】
前記端末装置の使用済みの能力の情報は、前記端末装置の現在の使用済みの測定能力を含み、
前記端末装置の残りの能力の情報は、最大許容の測定能力及び現在の使用済みの測定能力に基づいて得られた前記端末装置の現在の使用可能な測定能力を含む、請求項１５に記載の装置。
【請求項１７】
前記プロセッサは、所定の条件又は構成された条件に基づいて、ビーム障害が発生するか否かを決定するように構成され、
前記所定の条件又は構成された条件は、期間内の複数のサービングビームの測定結果が何れも所定の測定閾値よりも小さいこと、前記測定閾値よりも大きい測定結果を有するサービングビームの数が所定の数閾値よりも小さいこと、及び複数のサービングビームの連続的な複数の測定結果が何れも前記測定閾値よりも小さいことの少なくとも１つを含む、請求項１５に記載の装置。
【請求項１８】
前記プロセッサは、前記指示情報の送信を禁止するためのタイマを設定するように構成される、請求項１３に記載の装置。
【請求項１９】
前記タイマは、前記指示情報が前記ネットワーク装置に送信される時に起動され、
前記タイマがタイムアウトし、或いは起動されていない場合、前記指示情報の送信は許可される、請求項１８に記載の装置。
【請求項２０】
端末装置を含む通信システムであって、
前記端末装置は、
ネットワーク装置により送信されたビーム障害回復のための構成を受信し、前記構成は、少なくとも、ビーム障害回復をトリガするためのリソース情報及び／又はプリアンブル情報を含み、ビーム障害回復をトリガするためのリソースから少なくとも一部の時間リソース及び／又は周波数リソースを解放し、又は使用せず、且つ／或いは、ビーム障害回復をトリガするためのプリアンブルから少なくとも一部のプリアンブルを解放し、又は使用しないように構成され、或いは、
ネットワーク装置に指示情報を送信し、前記ネットワーク装置により送信されたビーム障害回復のための構成を受信するように構成される、通信システム。
【国際調査報告】
2021510029.tif 000015
2021510029.tif 000016
2021510029.tif 000017
2021510029.tif 000018